(57)【要約】【課題】分岐入出力部をもたない光部品とアレイ導波路波長合分波器とを接続する光伝送モジュールは、光部品に分岐入出力部がないため、調芯状態を確認することが困難である。本発明は、光部品とアレイ導波路波長合分波器との調芯状態の確認が容易である光伝送モジュールの製造方法を提供することを目的とする。また、本発明は、光部品とアレイ導波路波長合分波器との回転方向のアライメントが容易である光伝送モジュールの製造方法を提供することを目的とする。【解決手段】本発明に係る光伝送モジュールの製造方法は、アレイ導波路波長合分波器の特定のポートのみに出力する特定波長の光を調芯用のアライメント光に使用し、アレイ導波路波長合分波器と光部品とを接続することとした。【選択図】図２
2008203477.tif 000002
【特許請求の範囲】
【請求項１】
複数のポートを整列させた入出力ポートを少なくとも１つ備えるアレイ導波路波長合分波器と、
前記アレイ導波路波長合分波器の前記入出力ポートの各ポートに対応する複数の対応ポートを整列させた接続端を両端に備え、前記接続端の対応ポート毎に光を伝搬する光部品と、
を前記アレイ導波路波長合分波器の前記入出力ポートの１つの側に一方の前記光部品の前記接続端を接続する光伝送モジュールの製造方法であって、
前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行うことを特徴とする光伝送モジュールの製造方法。
【請求項２】
複数のポートを整列させた入出力ポートを少なくとも１つ備えるアレイ導波路波長合分波器と、
前記アレイ導波路波長合分波器の前記入出力ポートの各ポートに対応する複数の対応ポートを整列させた接続端を一端に備え、前記接続端の対応ポート毎に光を伝搬する光部品と、
を前記アレイ導波路波長合分波器の前記入出力ポートの１つの側に前記光部品の前記接続端を接続する光伝送モジュールの製造方法であって、
前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行うことを特徴とする光伝送モジュールの製造方法。
【請求項３】
前記アレイ導波路波長合分波器の前記入出力ポートの前記１のポートと前記光部品の前記接続端の前記１の対応ポートとの位置合わせを行った後に、
前記光部品側の前記アレイ導波路波長合分波器の前記入出力ポートの他のポートのみに出力する他の波長のアライメント光を前記アレイ導波路波長合分波器に入力し、前記光部品の前記接続端の他の対応ポートへ結合される前記他の波長のアライメント光の光強度が最大となるように、前記アレイ導波路波長合分波器の前記入出力ポートの前記他のポートと前記光部品の前記接続端の前記他の対応ポートとの位置合わせを行い、前記アレイ導波路波長合分波器と前記光部品との回転方向の位置合わせを行うことを特徴とする請求項１又は２に記載の光伝送モジュールの製造方法。
【請求項４】
前記アライメント光を波長可変レーザ光源で発生させることを特徴とする請求項１から３に記載のいずれかの光伝送モジュールの製造方法。
【請求項５】
前記光部品の前記アレイ導波路波長合分波器側と反対側に、前記光部品の全ポートからの光を受光できる１つの受光器を配置し、
前記光部品の接続端の前記１の対応ポート又は前記他の対応ポートへ結合される前記アライメント光の光強度を、前記光部品を伝搬した前記アライメント光の光強度として測定することを特徴とする請求項１から４に記載のいずれかの光伝送モジュールの製造方法。
【発明の詳細な説明】
【技術分野】
【０００１】
本発明は、アレイ導波路波長合分波器と光部品とを光学的に接続した光伝送モジュールの製造方法に関するものである。
【背景技術】
【０００２】
アレイ導波路波長合分波器は異なる波長の光信号を合波又は分波することができる。そのため、多量の情報を伝送することができる波長分割多重通信の光合波器や光分波器に使用される。アレイ導波路波長合分波器と入出力光ファイバとの接続について、例えば、特許文献１には、透過損失が小さくなるような波長の光を用いて調芯することが記載されている。
【０００３】
図１にアレイ導波路波長合分波器１３を有する光伝送モジュール５０１を示す。光伝送モジュール５０１はアレイ導波路波長合分波器１３と光部品２２とを接続する。図１の光部品２２は複数の光導波路を並列させたテープファイバ１５と接続端としてのガラスブロック１４を持つ。ガラスブロックは前記光導波路毎に光を結合する複数のポートを備える。アレイ導波路波長合分波器１３と光部品２２とを接続するためには、光を用いてアレイ導波路波長合分波器１３の入出力ポート１３ｂのポートとガラスブロック１４のポートとの位置合わせ（調芯）が必要となる。さらに、アレイ導波路波長合分波器１３と光部品２２との回転方向の位置合わせ（アライメント）も必要であるため、調芯は２つのポートで行うことが必要になる。
【０００４】
従来、アレイ導波路波長合分波器１３で分波した光を別々に取り出したり、異なる光源からの光を集めて合波したりするため、図１のように光部品２２の一端を光導波路毎に分離する分岐入出力部２３としていた。光部品２２の一端を分岐入出力部２３で光導波路毎に分離するとポートの識別が容易となる。また、アレイ導波路波長合分波器１３と光部品２２との接続時においてもポートを識別して調芯していた。
【特許文献１】特開平１１−３８２３９号公報
【発明の開示】
【発明が解決しようとする課題】
【０００５】
近年、分波した光を光導波路毎に分離せず、一括して光信号処理する要求が提起されている。このような新たな要求に対して、光部品２２のように一端が分岐入出力部２３であると、再度分岐入出力部で１本のテープファイバにまとめければならないという不便があった。そのため、発明者らは、分岐入出力部をもたない光部品とアレイ導波路波長合分波器とを接続する光伝送モジュールを新たに発明した。しかし、光部品に分岐入出力部がないため、調芯状態を確認することが困難であることが判明した。
【０００６】
そこで、困難性を解決するため、本発明は、光部品とアレイ導波路波長合分波器との調芯状態の確認が容易である光伝送モジュールの製造方法を提供することを目的とする。また、本発明は、光部品とアレイ導波路波長合分波器との回転方向のアライメントが容易である光伝送モジュールの製造方法を提供することを目的とする。
【課題を解決するための手段】
【０００７】
上記目的を達成するために、本発明に係る光伝送モジュールの製造方法は、アレイ導波路波長合分波器の特定のポートのみに出力する特定波長の光を調芯用のアライメント光に使用してアレイ導波路波長合分波器と光部品とをアライメントし、接続することとした。
【０００８】
具体的には、本発明に係る光伝送モジュールの製造方法は、複数のポートを整列させた入出力ポートを少なくとも１つ備えるアレイ導波路波長合分波器と、前記アレイ導波路波長合分波器の前記入出力ポートの各ポートに対応する複数の対応ポートを整列させた接続端を両端に備え、前記接続端の対応ポート毎に光を伝搬する光部品と、を前記アレイ導波路波長合分波器の前記入出力ポートの１つの側に一方の前記光部品の前記接続端を接続する光伝送モジュールの製造方法であって、前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行うことを特徴とする。
【０００９】
アレイ導波路波長合分波器の入出力ポートにおいて、アライメント光は調芯を行うポートのみに出力するため、ポートを識別することなく、光部品のアレイ導波路波長合分波器側と反対側で光強度を測定することができる。
【００１０】
本発明によれば、光部品が分岐入出力部を備えていなくても、光部品とアレイ導波路波長合分波器との調芯状態の確認が容易である光伝送モジュールの製造方法を提供することができる。また、本発明によれば、所定のポート間隔で整列された接続端をテープファイバの両端にもつ光部品とアレイ導波路波長合分波器とを接続可能とする光伝送モジュールの製造方法を提供することができる。
【００１１】
本発明に係る光伝送モジュールの製造方法は、複数のポートを整列させた入出力ポートを少なくとも１つ備えるアレイ導波路波長合分波器と、前記アレイ導波路波長合分波器の前記入出力ポートの各ポートに対応する複数の対応ポートを整列させた接続端を一端に備え、前記接続端の対応ポート毎に光を伝搬する光部品と、を前記アレイ導波路波長合分波器の前記入出力ポートの１つの側に前記光部品の前記接続端を接続する光伝送モジュールの製造方法であって、前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行うことを特徴とする。
【００１２】
本発明によれば、光部品が分岐入出力部を備えていなくても、光部品とアレイ導波路波長合分波器との調芯状態の確認が容易である光伝送モジュールの製造方法を提供することができる。また、本発明によれば、所定のポート間隔で整列された接続端をテープファイバの一端にもつ光部品とアレイ導波路波長合分波器とを接続可能とする光伝送モジュールの製造方法を提供することができる。
【００１３】
本発明に係る光伝送モジュールの製造方法は、前記アレイ導波路波長合分波器の前記入出力ポートの前記１のポートと前記光部品の前記接続端の前記１の対応ポートとの位置合わせを行った後に、前記光部品側の前記アレイ導波路波長合分波器の前記入出力ポートの他のポートのみに出力する他の波長のアライメント光を前記アレイ導波路波長合分波器に入力し、前記光部品の前記接続端の他の対応ポートへ結合される前記他の波長のアライメント光の光強度が最大となるように、前記アレイ導波路波長合分波器の前記入出力ポートの前記他のポートと前記光部品の前記接続端の前記他の対応ポートとの位置合わせを行い、前記アレイ導波路波長合分波器と前記光部品との回転方向の位置合わせを行うことが好ましい。
【００１４】
２つのポートの調芯を連続して行うことで、光部品とアレイ導波路波長合分波器との回転方向のアライメントが容易である光伝送モジュールの製造方法を提供することができる。
【００１５】
本発明に係る光伝送モジュールの製造方法において、前記アライメント光を波長可変レーザ光源で発生させることが望ましい。
【００１６】
波長可変レーザ光源は所望の波長の光を出力できる。従って、アレイ導波路波長合分波器に異なる波長の複数のアライメント光を連続して入力できるため、複数のポートを連続して調芯することができる。
【００１７】
本発明に係る光伝送モジュールの製造方法において、前記光部品の前記アレイ導波路波長合分波器側と反対側に、前記光部品の全ポートからの光を受光できる１つの受光器を配置し、前記光部品の接続端の前記１の対応ポート又は前記他の対応ポートへ結合される前記アライメント光の光強度を、前記光部品を伝搬した前記アライメント光の光強度として測定してもよい。
【００１８】
本発明に係る光伝送モジュールの製造方法はポートを認識する必要がないため、全てのポートから出力するアライメント光を受光できる受光径の大きな受光器を一つ配置するだけで調芯することができる。
【発明の効果】
【００１９】
本発明によれば、光部品とアレイ導波路波長合分波器との調芯状態の確認が容易である光伝送モジュールの製造方法を提供することができる。また、光部品とアレイ導波路波長合分波器との回転方向のアライメントが容易である光伝送モジュールの製造方法を提供することができる。そのため、本発明に係る光伝送モジュールの製造方法は、所定のポート間隔で整列されたファイバアレイのような接続端をテープファイバの一端又は両端にもつ光部品とアレイ導波路波長合分波器とを容易に接続することができる。
【発明を実施するための最良の形態】
【００２０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２１】
（実施の形態１）
本実施形態は、複数のポートを整列させた入出力ポートを少なくとも１つ備えるアレイ導波路波長合分波器と、前記アレイ導波路波長合分波器の前記入出力ポートの各ポートに対応する複数の対応ポートを整列させた接続端を両端に備え、前記接続端の対応ポート毎に光を伝搬する光部品と、を前記アレイ導波路波長合分波器の前記入出力ポートの１つの側に一方の前記光部品の前記接続端を接続する光伝送モジュールの製造方法であって、前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行うことを特徴とする光伝送モジュールの製造方法である。
【００２２】
図２は、本実施形態の光伝送モジュールの製造方法で光伝送モジュール５０２を製造する際のアレイ導波路波長合分波器と光部品とを接続する接続工程を示した概念図である。
【００２３】
光伝送モジュール５０２はコネクタ１０、光ファイバ１１、ガラスブロック１２、アレイ導波路波長合分波器１３及び光部品２５を有する。
【００２４】
アレイ導波路波長合分波器は、複数のポートを整列させた入出力ポートを少なくとも１つ備える。アレイ導波路波長合分波器１３は、入出力ポート１３ａのポート数は１つであり、入出力ポート１３ｂのポート数が複数である。アレイ導波路波長合分波器１３は、入出力ポート１３ａのポートから入力された光を波長毎に分離して入出力ポート１３ｂのそれぞれのポートに出力する。本実施例ではアレイ導波路波長合分波器１３の入出力ポート１３ａのポート数は１つであるが、複数であってもよい。
【００２５】
光部品は、前記アレイ導波路波長合分波器の前記入出力ポートの各ポートに対応する複数の対応ポートを整列させた接続端を両端に備え、前記接続端の対応ポート毎に光を伝搬する。光部品２５は複数の光導波路が並列に並べられたテープファイバ１５とテープファイバ１５の両端に接続端としてのガラスブロック１４−１、ガラスブロック１４−２とを持つ。ガラスブロック１４−１及びガラスブロック１４−２はテープファイバ１５のそれぞれの光導波路に対応する複数のポートを備える。そのため、光部品２５は、結合された光をガラスブロック１４−１からガラスブロック１４−２へポート毎にテープファイバ１５の光導波路を介して伝搬させることができる。その逆も可能である。なお、ガラスブロック１４−１のポート間隔は、アレイ導波路波長合分波器１３の入出力ポート１３ｂのポート間隔と等しい。
【００２６】
ガラスブロック１２は光ファイバ１１とアレイ導波路波長合分波器１３の入出力ポート１３ａとを接続し、光ファイバ１１からの光をアレイ導波路波長合分波器１３の入出力ポート１３ａのポートに結合する。その逆も可能である。アレイ導波路波長合分波器１３の入出力ポート１３ａのポートは１つであるため、従来からの方法でガラスブロック１２とアレイ導波路波長合分波器１３との位置合わせをすることができる。すなわち、ＡＳＥ光源等からの光をコネクタ１０に入力し、アレイ導波路波長合分波器１３の入出力ポート１３ｂのポート毎に出力される光の強度が最大となるようにガラスブロック１２とアレイ導波路波長合分波器１３とを位置合わせする。この場合、入出力ポート１３ｂのポートを識別する必要はない。
【００２７】
本実施形態の光伝送モジュールの製造方法では、前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行う。
【００２８】
図２の接続工程では特定波長のアライメント光はコネクタ１０に入力される。アライメント光は光ファイバ１１を伝搬し、ガラスブロック１２からアレイ導波路波長合分波器１３に結合される。アレイ導波路波長合分波器１３によりアライメント光は入出力ポート１３ｂの特定のポートのみに出力される。
【００２９】
入出力ポート１３ｂの特定のポートのみに出力されたアライメント光はガラスブロック１４−１の特定ポートのみに結合され、ガラスブロック１４−２の特定ポートのみから出力される。
【００３０】
ガラスブロック１４−２から出力するアライメント光の光強度を最大とするように入出力ポート１３ｂの特定ポートとガラスブロック１４−１の特定ポートとの調芯を行う。ガラスブロック１４−２の他のポートからはアライメント光は出力しないため、ポートを識別せずに調芯をすることができる。
【００３１】
本実施形態の光伝送モジュールの製造方法は、前記アレイ導波路波長合分波器の前記入出力ポートの前記１のポートと前記光部品の前記接続端の前記１の対応ポートとの位置合わせを行った後に、前記光部品側の前記アレイ導波路波長合分波器の前記入出力ポートの他のポートのみに出力する他の波長のアライメント光を前記アレイ導波路波長合分波器に入力し、前記光部品の前記接続端の他の対応ポートへ結合される前記他の波長のアライメント光の光強度が最大となるように、前記アレイ導波路波長合分波器の前記入出力ポートの前記他のポートと前記光部品の前記接続端の前記他の対応ポートとの位置合わせを行い、前記アレイ導波路波長合分波器と前記光部品との回転方向の位置合わせを行う。
【００３２】
次いで、ガラスブロック１４−１の回転方向のアライメントを行うため、１つ目のポートの調芯終了後、他の波長のアライメント光で２つ目のポートの調芯を同様に行う。さらに、３つ以上のポートの調芯を行ってもよい。また、調芯を行うポートは互いに離れているほうが調芯精度が向上するため、例えば、接続端の両端にあるポートで調芯を行うことが望ましい。
【００３３】
従って、本実施形態の光伝送モジュールの製造方法により、分岐入出力部のない光部品とアレイ導波路波長合分波器との接続において、容易に調芯状態を確認でき、容易に回転方向のアライメントをすることができる。
【００３４】
前記アライメント光を波長可変レーザ光源で発生させることが望ましい。
【００３５】
図２に示す光伝送モジュールの製造方法では、アライメント光の発生源として波長可変レーザ光源３５を利用する。波長可変レーザ光源３５は発生する光の波長を所望の波長に制御することができる。波長可変レーザ光源３５の出力をコネクタ１０に接続してアライメント光を入力する。
【００３６】
入出力ポート１３ｂとガラスブロック１４−１の１つ目のポートの調芯終了後、波長可変レーザ光源３５の出力光の波長を変更して２つ目のポートの調芯をする。波長変更をプログラム制御すれば、波長可変レーザ光源３５をコネクタ１０に一度接続するだけでアレイ導波路波長合分波器１３と光部品２５とを接続することができる。
【００３７】
前記光部品の前記アレイ導波路波長合分波器側と反対側に、前記光部品の全ポートからの光を受光できる１つの受光器を配置し、前記光部品の接続端の前記１の対応ポート又は前記他の対応ポートへ結合される前記アライメント光の光強度を、前記光部品を伝搬した前記アライメント光の光強度として測定することができる。
【００３８】
図２に示す光伝送モジュールの製造方法では、ガラスブロック１４−２からのアライメント光を大口径の受光器３７で受光する。受光器３７はガラスブロック１４−２のいずれのポートからアライメント光が出力しても受光器３７はアライメント光を受光できる。受光器３７としてＰＤが例示できる。前述のように、本発明に係る光伝送モジュールの製造方法では、ガラスブロック１４−２のポートを識別する必要がないため、受光器３７を一度設置するだけでアレイ導波路波長合分波器１３と光部品２５とを接続することができる。
【００３９】
図２において、テープファイバ１５を有する光部品２５とアレイ導波路波長合分波器１３との位置合わせを説明したが、ガラスブロック１４−１、ガラスブロック１４−２に相当する接続端をもち、一方の接続端から他の接続端へポート毎に光を伝搬する光部品でも同様に位置合わせをすることができる。
【００４０】
（実施形態２）
図３は、本実施形態の光伝送モジュールの製造方法で光伝送モジュール５０３を製造する際の光部品２５と光部品２７とを接続する接続工程を示した概念図である。
【００４１】
光伝送モジュール５０３はコネクタ１０、光ファイバ１１、ガラスブロック１２、アレイ導波路波長合分波器１３、光部品２５及び光部品２７を有する。
【００４２】
図３の光部品２７は、可変光アッテネータ（ＶＯＡ）であることが例示できる。光部品２７は両端に接続端２７ａ及び接続端２７ｂをもつ。接続端２７ａ及び接続端２７ｂはそれぞれ光部品２５のガラスブロック１４−２が備えるポートの数と同じ数のポートを備える。光部品２７は結合された光を接続端２７ａから接続端２７ｂへポート毎に伝搬させることができる。なお、光部品２７の接続端２７ａのポート間隔は、光部品２５のガラスブロック１４−２のポート間隔と等しい。
【００４３】
光伝送モジュール５０３は、アレイ導波路波長合分波器１３と光部品２５とを接続した後、光部品２５のガラスブロック１４−２に光部品２７を接続する接続工程を経て製造される。
【００４４】
具体的には、図２で説明したようにアレイ導波路波長合分波器１３と光部品２５とを接続した後、受光器３７を一度外し、光部品２５のガラスブロック１４−２に光部品２７の接続端２７ａを配置し、光部品２７の接続端２７ｂ側に受光器３７を配置する。
【００４５】
図２で説明したように、特定波長のアライメント光をコネクタ１０に入力する。アライメント光はアレイ導波路波長合分波器１３により入出力ポート１３ｂの特定のポートを通り、光部品２５を伝搬してガラスブロック１４−２の特定のポートのみに出力される。ガラスブロック１４−２の特定のポートのみに出力されたアライメント光は光部品２７の接続端２７ａの特定ポートのみに結合され接続端２７ｂの特定ポートのみから出力される。
【００４６】
接続端２７ｂから出力するアライメント光の光強度を最大とするように光部品２５のガラスブロック１４−２の特定ポートと光部品２７の接続端２７ａの特定ポートとの調芯を行う。光部品２７の接続端２７ｂの他のポートからはアライメント光は出力しないため、ポートを識別せず調芯することができる。
【００４７】
同様に、他の波長のアライメント光で２つ目のポートの調芯を行い、光部品２７の接続端２７ａの回転方向のアライメントを行う。
【００４８】
従って、本発明に係る光伝送モジュールの製造方法により、アレイ導波路波長合分波器に接続された光部品と分岐入出力部のない他の光部品との接続において、容易に調芯状態を確認でき、容易に回転方向のアライメントをすることができる。
【００４９】
本発明に係る光伝送モジュールの製造方法で、両端に接続端を持つ光部品同士を接続できる。そのため、本発明に係る光伝送モジュールの製造方法で、図４のようにアレイ導波路波長合分波器１３の入出力ポート１３ｂに光部品２５を接続し、続けて光部品２７を接続し、さらに光部品２５を接続することができ、複数の光部品を連結した光伝送モジュールを製造することができる。
【００５０】
（実施形態３）
本実施形態は、複数のポートを整列させた入出力ポートを少なくとも１つ備えるアレイ導波路波長合分波器と、前記アレイ導波路波長合分波器の前記入出力ポートの各ポートに対応する複数の対応ポートを整列させた接続端を一端に備え、前記接続端の対応ポート毎に光を伝搬する光部品と、を前記アレイ導波路波長合分波器の前記入出力ポートの１つの側に前記光部品の前記接続端を接続する光伝送モジュールの製造方法であって、前記光部品側の前記アレイ導波路波長合分波器の前記入出力ポートの１のポートのみに出力する１の波長のアライメント光を前記アレイ導波路波長合分波器に入力し、前記光部品の前記接続端の１の対応ポートへ結合される前記１の波長のアライメント光の光強度が最大となるように、前記アレイ導波路波長合分波器の前記入出力ポートの前記１のポートと前記光部品の前記接続端の前記１の対応ポートとの位置合わせを行うことを特徴とする光伝送モジュールの製造方法である。
【００５１】
図５は、本実施形態の光伝送モジュールの製造方法で光伝送モジュール５０５を製造する際のアレイ導波路波長合分波器と光部品とを接続する接続工程を示した概念図である。
【００５２】
光伝送モジュール５０５はコネクタ１０、光ファイバ１１、ガラスブロック１２、アレイ導波路波長合分波器１３及び光部品２９を有する。
【００５３】
図５の光部品２９は、図２の光部品２５のガラスブロック１４−２がなく、テープファイバの状態としている。光部品２９のガラスブロック１４−１とアレイ導波路波長合分波器１３の入出力ポート１３ｂとを図２の説明と同様に接続し、ポートの調芯をすることで、光伝送モジュール５０５を製造することができる。
【産業上の利用可能性】
【００５４】
本発明に係る光伝送モジュールの製造方法は、アレイ導波路波長合分波器を含む光伝送モジュールや光部品の検査方法としても使用できる。
【図面の簡単な説明】
【００５５】
【図１】従来の光伝送モジュールの製造方法でのアレイ導波路波長合分波器と光部品とを接続する接続工程を示した概念図である。
【図２】本発明に係る光伝送モジュールの製造方法でのアレイ導波路波長合分波器と光部品とを接続する接続工程を示した概念図である。
【図３】本発明に係る光伝送モジュールの製造方法でのアレイ導波路波長合分波器に接続した光部品と他の光部品とを接続する接続工程を示した概念図である。
【図４】本発明に係る光伝送モジュールの製造方法でのアレイ導波路波長合分波器に接続した光部品と他の光部品とを接続する接続工程を示した概念図である。
【図５】本発明に係る光伝送モジュールの製造方法でのアレイ導波路波長合分波器と光部品とを接続する接続工程を示した概念図である。
【符号の説明】
【００５６】
５０１、５０２、５０３、５０４  光伝送モジュール
１０、１９  コネクタ
１１  光ファイバ
１２、１４、１４−１、１４−２  ガラスブロック
１３  アレイ導波路波長合分波器
１３ａ、１３ｂ  入出力ポート
１５  テープファイバ
１７  分岐部
２２、２５、２７、２９  光部品
２３  分岐入出力部
３１  ＡＳＥ光源
３２  光―電気変換器
３５  波長可変レーザ光源
３７  受光器
２７ａ、２７ｂ  接続端
【図１】
2008203477.tif 000003
【図２】
2008203477.tif 000004
【図３】
2008203477.tif 000005
【図４】
2008203477.tif 000006
【図５】
2008203477.tif 000007